(57)【特許請求の範囲】
【請求項１】
インターネットプロトコル（ＩＰ）データを、アプリケーションから、ＩＰネットワーク上と非ＩＰネットワークのうちの一つのネットワーク上の移動局へ転送する方法であって、前記移動局が、移動局ＩＰアドレスと移動局識別子の両方によって識別される方法であり、
二重メッセンジャにおいて、前記アプリケーションから前記ＩＰデータを前記移動局に転送することの通知要求を受信するステップであって、前記通知要求は前記移動局ＩＰアドレスによって前記移動局を識別するものであるステップ、
前記二重メッセンジャにおいて、前記移動局が前記ＩＰネットワーク上に登録されているかどうかを判定するステップ、
前記移動局が前記ＩＰネットワーク上に登録されていない場合、前記二重メッセンジャにおいて、前記移動局ＩＰアドレスを前記移動局識別子と関連付けるステップ、
前記二重メッセンジャからメッセージハンドラへ、関連付けられた前記移動局識別子によって識別される前記通知要求を転送するステップ、及び
前記メッセージハンドラにおいて、前記移動局が前記非ＩＰネットワーク上に登録されているかどうかを判定するステップであって、前記移動局が前記非ＩＰネットワーク上に登録されている場合、前記メッセージハンドラから、前記非ＩＰネットワーク上の遠隔サービスサーバを介して、前記ＩＰデータを前記移動局に転送する、ステップ
からなる方法。
【請求項２】
前記ＩＰネットワークがデータのみのネットワークである請求項１に記載の方法。
【請求項３】
前記ＩＰネットワークがセルラーデジタルパケットデータ（ＣＤＰＤ）ネットワークである請求項１に記載の方法。
【請求項４】
前記非ＩＰネットワークが音声のみのネットワークである請求項１に記載の方法。
【請求項５】
前記非ＩＰネットワークがパーソナルコミュニケーションシステム（ＰＣＳ）ネットワークである請求項１に記載の方法。
【請求項６】
前記非ＩＰネットワークがＩＳ−１３６プロトコルの下で作動する請求項１に記載の方法。
【請求項７】
前記非ＩＰネットワークがＩＳ−９５プロトコルの下で作動する請求項１に記載の方法。
【請求項８】
前記移動局ＩＰアドレスがユニバーサルリソースロケーター（ＵＲＬ）アドレスである請求項１に記載の方法。
【請求項９】
前記移動局識別子が移動局識別番号（ＭＩＮ）である請求項１に記載の方法。
【請求項１０】
前記移動局識別子が電子連続番号（ＥＳＮ）である請求項１に記載の方法。
【請求項１１】
前記メッセージハンドラにおいて判定するステップが、前記メッセージハンドラにおいて、遠隔サービスサーバへの問い合わせを作成する請求項１に記載の方法。
【請求項１２】
セルラーデジタルパケットデータ（ＣＤＰＤ）ネットワークとパーソナルコミュニケーションシステム（ＰＣＳ）ネットワークのうちの１つのネットワーク上に登録された移動局の所在を確認する方法であって、該方法が、
装置において、アプリケーションから前記移動局へＩＰデータを送信することの要求を受信するステップであって、前記装置は前記ＣＤＰＤネットワークと前記ＰＣＳネットワークに結合しているステップ、
前記装置から、前記移動局の所在を確認することを前記ＣＤＰＤネットワークへ問い合わせるステップ、
前記装置から、前記移動局の所在を確認することを前記ＰＣＳネットワークへ問い合わせるステップ、及び
前記移動局との通信の前に、前記ＣＤＰＤネットワークと前記ＰＣＳネットワークのうちのひとつのネットワーク上の前記移動局の所在を確認するステップ
からなる方法。
【請求項１３】
前記アプリケーションがハイパーテキスト転送プロトコル（ＨＴＴＰ）を用いて前記装置と通信する請求項１２に記載の方法。
【請求項１４】
前記アプリケーションがハイパーテキストマークアップ言語（ＨＴＭＬ）を用いて前記装置と通信する請求項１２に記載の方法。
【請求項１５】
インターネットプロトコル（ＩＰ）データを、アプリケーションから、ＩＰネットワークと非ＩＰネットワークのうちの１つのネットワーク上の移動局へと転送するシステムであって、前記移動局が移動局ＩＰアドレスと移動局識別子の両方によって識別されるシステムであり、該システムが、
前記移動局ＩＰアドレスにアドレス指定された通知要求を前記アプリケーションから受信する第１の手段であって、前記移動局が前記ＩＰネットワークに登録されているかどうかを判定し、前記移動局が前記ＩＰネットワークに登録されていない場合に、前記移動局ＩＰアドレスを前記移動局識別子に関連付け、そして前記移動局識別子と前記通知要求を第２の手段に転送する第１の手段、
第３の手段への問い合わせを作成する第２の手段であって、前記問い合わせは、前記移動局識別子によって識別される前記移動局が前記非ＩＰネットワーク上に存在するかどうかを判定するためのものである、第２の手段、
前記問い合わせを受信し、前記非ＩＰネットワーク上の前記移動局のホームロケーションレジスターに問い合わせるための第３の手段、及び
前記移動局が前記非ＩＰネットワーク上に登録されている場合に、前記アプリケーションから通知データを取得せよとの前記第２の手段からの要求を受信する第４の手段であって、前記第４の手段が前記アプリケーションの識別子を前記第１の手段から取得し、前記アプリケーションからのデータの要求を作成し、前記アプリケーションへと前記データの要求を転送し、前記アプリケーションが前記データを前記第４の手段へと返し、前記第４の手段が前記第２の手段へ前記データを送り、前記第２の手段が前記データを前記第３の手段へと送り、前記第３の手段が前記非ＩＰネットワークプロトコルに従って前記移動局へ前記データを送るように構成された第４の手段
からなるシステム。
【請求項１６】
前記ＩＰネットワークがデータのみのネットワークである請求項１５に記載のシステム。
【請求項１７】
前記ＩＰネットワークがセルラーデジタルパケットデータ（ＣＤＰＤ）ネットワークである請求項１５に記載のシステム。
【請求項１８】
前記非ＩＰネットワークが音声のみのネットワークである請求項１５に記載のシステム。
【請求項１９】
前記非ＩＰネットワークがパーソナルコミュニケーションシステム（ＰＣＳ）ネットワークである請求項１５に記載のシステム。
【請求項２０】
前記非ＩＰネットワークがＩＳ−１３６プロトコルの下で作動するネットワークである請求項１５に記載のシステム。
【請求項２１】
前記非ＩＰネットワークがＩＳ−９５プロトコルの下で作動するネットワークである請求項１５に記載のシステム。
【請求項２２】
前記移動局ＩＰアドレスがユニバーサルリソースロケーター（ＵＲＬ）アドレスである請求項１５に記載のシステム。
【請求項２３】
前記移動局識別子が移動局識別番号（ＭＩＮ）である請求項１５に記載のシステム。
【請求項２４】
前記移動局識別子が電子連続番号（ＥＳＮ）である請求項１５に記載のシステム。
【請求項２５】
インターネットプロトコル（ＩＰ）データを、アプリケーションから、分離して独立したアクセスプロトコルを有する少なくとも２つの地理的に同じ場所に配置される無線ネットワークのうちの一つの無線ネットワーク上の移動局へ転送する方法であって、前記移動局が、移動局ＩＰアドレスと移動局識別子の両方によって識別される方法であり、該方法が、
第１の装置において、前記アプリケーションから前記ＩＰデータを前記移動局へ転送することの通知要求を受信し、前記通知要求が移動局ＩＰアドレスによって前記移動局を識別するステップ、
第１の装置において、前記移動局が、第１のアクセスプロトコルを有する第１の無線ネットワークに登録されているかを判定するステップ、
前記移動局が前記第１のアクセスプロトコルを有する前記第１の無線ネットワークに登録されていない場合、前記第１の装置において、前記移動局ＩＰアドレスを前記移動局識別子に関連付けるステップ、
前記第１の装置からメッセージハンドラへ前記関連付けられた移動局識別子によって識別される通知要求を転送するステップ、及び
前記メッセージハンドラにおいて、前記移動局が、第１のアクセスプロトコルとは異なる第２のアクセスプロトコルを有する第２の無線ネットワークに登録されているかどうかを判定するステップであって、前記移動局が前記第２のアクセスプロトコルを有する前記第２の無線ネットワークに登録されている場合、前記メッセージハンドラから第２の無線ネットワーク上の遠隔サービスサーバを介して前記移動局へ前記ＩＰデータを転送する、ステップ
からなる方法。
【請求項２６】
第１のアクセスプロトコルを有する第１の無線ネットワークがＩＰネットワークである請求項２５に記載の方法。
【請求項２７】
第１のアクセスプロトコルを有する第１の無線ネットワークがデータのみのネットワークである請求項２５に記載の方法。
【請求項２８】
第１のアクセスプロトコルを有する第１の無線ネットワークがセルラーデジタルパケットデータ（ＣＤＰＤ）ネットワークである請求項２５に記載の方法。
【請求項２９】
第２のアクセスプロトコルを有する第２の無線ネットワークが非ＩＰネットワークである請求項２５に記載の方法。
【請求項３０】
第２のアクセスプロトコルを有する第２の無線ネットワークが音声のみのネットワークである請求項２５に記載の方法。
【請求項３１】
第２のアクセスプロトコルを有する第２の無線ネットワークがパーソナルコミュー二ケーションシステム（ＰＣＳ）ネットワークである請求項２５に記載の方法。
【請求項３２】
第２のアクセスプロトコルを有する第２の無線ネットワークがＩＳ-１３６プロトコルの下で作動するネットワークである請求項２５に記載の方法。
【請求項３３】
第２のアクセスプロトコルを有する第２の無線ネットワークがＩＳ―９５プロトコルの下で作動するネットワークである請求項２５に記載の方法。
【請求項３４】
前記移動局ＩＰアドレスがユニバーサルリソースロケーター（ＵＲＬ）アドレスである請求項２５に記載の方法。
【請求項３５】
前記移動局識別子が移動局識別番号（ＭＩＮ）である請求項２５に記載の方法。
【請求項３６】
前記移動局識別子が電子連続番号（ＥＳＮ）である請求項２５に記載の方法。
【請求項３７】
前記メッセージハンドラにおいて判定するステップが前記メッセージハンドラにおいて遠隔サービスサーバへの問い合わせを作成するステップを含む請求項２５に記載の方法。
【発明の詳細な説明】
【０００１】
【発明の属する技術分野】
本発明は、通信に移動局を参加させるための方法およびシステムに関し、特にインターネット・プロトコル（ＩＰ）・ネットワークから、非ＩＰネットワーク上の移動局にデータを転送するための方法およびシステムに関する。
【０００２】
【従来の技術、及び、発明が解決しようとする課題】
データ通信能力に対する需要は増大し続けている。ネットワーク参加者は、利用可能なデータにアクセスし、またはデータ送信する方法がさらに増えることを望んでいる。この業界で継続的に成長している一例としては、インターネットを通じての通信、特にワールド・ワイド・ウェブでのエクスプロージョンがある。この媒体を使用する通信は、通常ハイパーテキスト転送プロトコル（ＨＴＴＰ）またはインターネット・プロトコル（ＩＰ）と呼ばれるものにより行われる。図１Ａおよび図１Ｂにユーザがインターネットを使用することができるデータ通信コンフィギュレーションの一例を示す。
【０００３】
図１Ａの場合には、例えば、パソコン１０のようなコンピュータ・ターミナルのところにいるユーザは、モデム１１を通して公衆電話網（ＰＳＴＮ）１５に接続している。アクセス・プロバイダ２０は、そのＰＳＴＮのある場所に位置している。アクセス・プロバイダは、この図においてＨＴＴＰ  ＮＥＴＷＯＲＫ３０と表示してあるインターネットへのデータリンク２５を提供する。通常、「ブラウザ」と呼ばれるソフトウェアが、コンピュータ１０にロードされ、ネットワーク３０に位置している他のデータ源とデータ通信することができる。その一例としては、インターネットがある。上記ブラウザの例としては、ネットスケープのナビゲータおよびマイクロソフトのインターネット・エクスプローラ等がある。コンピュータ１０およびネットワーク３０のデータ資源は、ハイパーテキスト・マークアップ・ランゲージ（ＨＴＭＬ）と呼ばれるオープン・ランゲージで通信する。このコンフィギュレーションはユーザにとって非常に役に立つが、インターネットから情報にアクセスするには、ユーザは、インターネットと通信することができる、例えば、パソコンまたはラップトップのようなコンピュータをもっていなければならないというある種の制約がある。さらに、この場合、インターネットにアクセスするには、ＰＳＴＮにケーブルにより接続する必要がある。このことにより、インターネットへのユーザのアクセスが幾分制限される。
【０００４】
図１Ｂは、ユーザからインターネットへの無線接続を行うための試みの一つである。この状態の場合、ユーザは、空間を通して基地局１１０と通信する無線通信装置１００を持つ。上記基地局は、セルラー・デジタル・パケット・データ（ＣＤＰＤ）ネットワーク１２０と呼ばれる無線データ・ネットワークの一部である。特別サーバ１３０は、ＨＴＴＰネットワーク１４０とＣＤＰＤネットワークとの間のインターフェースの役割を果たす。上記通信装置１００の一例としては、ＡＴ＆Ｔのポケットネットホンがある。ポケットネット・コンフィギュレーションの場合には、電話は無線ＩＰネットワーク、すなわち、ＣＤＰＤを通して情報を送信する。上記サーバ１３０は、Ｕｎｗｉｒｅｄ  Ｐｌａｎｅｔにより生成されたソフトウェア・プラットフォームを含む。
【０００５】
上記ソフトウェア・プラットフォームは、ポケットネット電話のような携帯装置上に情報を会話形式で表示するために、携帯装置マークアップ・ランゲージ、すなわち、ＨＤＭＬと呼ばれるオープン・ランゲージを使用する。上記ポケットネットホン・ブラウザおよびサーバ・アプリケーションはＨＤＭＬをサポートする。情報にアクセスし、メッセージを送信するには、ユーザ電話のキーボードを使用して、電話ブラウザのメニューをベースとするユーザ・インターフェースを操作する。情報に対する要求は、アプリケーションが常駐しているサーバのところで処理される無線ＩＰネットワーク、および有線ラインインターネットを通して転送される。その後、ブラウザは問い合わせの結果を表示する。しかし、ポケットネット・アプリケーションには一つの制限、すなわち、電話がデータだけモードの場合には、電話はデータの受信またはインターネットとの相互通信しかできないという制限がある。何故なら、ＣＤＰＤを通しての通信は、データ通信だけに厳格に制限されるからである。ポケットネット・コンフィギュレーションの場合には、音声モードまたはアイドル・モードの場合には、データ・ネットワークとの通信もできないし、データの受信もできない。
【０００６】
ネットワークが携帯装置とデータ通信することができ、それにより装置がアイドル・モードまたは音声モードである場合でも、通信を行うことができれば有利である。
【０００７】
引用によって本明細書の記載に援用した、１９９６年１０月のＩＳ−１３６、ＴＩＡ−ＥＩＡ／ＩＳ−１３６．１−Ａと呼ばれるもう一つの無線通信プロトコル、１９９０年１０月のＴＩＡ／ＥＩＡ／ＩＳ／１３６．２は、アイドル・モードでも音声モードでも、セルラーホンが短いメッセージを受信することができるようにする。しかし、メッセージは、ＩＳ−１３６プロトコルに適合する、適当にフォーマットされたデータを供給するメッセージ・センタが発生する。携帯装置は、インターネットデータ通信ネットワークと通信しない。
【０００８】
【課題を解決するための手段】
本発明は、携帯装置を使用して、インターネットに似たネットワークとのユーザの通信能力を向上させる方法およびシステムを提供する。より詳細に説明すると、本発明を使用すれば、ユーザは、アイドル・モードまたは音声モードであってもデータ・ネットワークと通信することができる。
【０００９】
本発明の一実施形態の場合には、ＩＰネットワークから移動局へデータを転送するようにとの要求を受信する。この場合、移動局が第一のネットワークに登録されているかどうかが判断される。移動局が登録されている場合には、データは、第一のネットワークで使用されている遠隔サービスを通して、送信することができるように転送可能な状態にされ、その後、転送可能状態のデータが移動局に送られる。
【００１０】
より詳細に説明すると、本発明の一実施形態の場合には、移動局はＩＳ−１３６ネットワーク上に登録されている。ＩＰネットワークは、サーバに、データグラムを移動局に転送するようにとの要請を送信する。移動局がネットワークに登録されている場合には、データグラムは、ＩＳ−１３６プロトコルによるＲ−データ・メッセージに変換され、このＲ−データ・メッセージが、移動局に転送される。
【００１１】
本発明のもう一つの実施形態の場合には、移動局は、要求を生成することができ、データに対するその要求は、ＩＰネットワークに適合する正しいフォーマットに変換される。この要求に答えて、ＩＰネットワークは、データを返送し、上記データは移動局が接続している遠隔サービス・ネットワークに適合するフォーマットに変換される。
【００１２】
本発明のさらに他の実施形態の場合には、移動局からの要求は、遠隔サービス・サーバへのＲ−データ・メッセージであり、そのデータ要求はＩＰネットワークに適合するフォーマットに変換される。その後、ＩＰネットワークは、上記要求に答えてデータグラムを送信し、遠隔サービス・サーバは、上記データグラムをＩＳ−１３６プロトコルに適合するＲ−データ・メッセージに変換する。このＲ−データ・メッセージは、その後、移動局へ転送される。
【００１３】
移動局とＩＰネットワークとの間のデータの転送は、アイドル・モードまたは音声モードでも行うことができる。
【００１４】
【発明の実施の形態】
本発明の実施形態の場合、移動局はアイドル・モードまたは音声モードの場合、インターネット・プロトコル・ネットワークから通信を受信し、データ要求をインターネット・プロトコル・ネットワークへ通信することができる。図２は、本発明の一実施形態のブロック図である。
【００１５】
この実施形態の場合には、ユーザは、この図においては携帯装置になっている移動局２００を持っているが、この携帯装置はＩＳ−１３６プロトコルで動作することができるセルラーホンであってもよい。上記セルラーホンは、上記プロトコルを使用して基地局２１０と無線通信をする。基地局は無線ネットワークの一部であるが、この無線ネットワークは、ＰＣＳ（パーソナル通信サービス）ネットワークであってもよいし、任意の他の無線ネットワークであってもよい。基地局は、ＩＳ−４１と呼ばれるプロトコルによりネットワークと通信する。上記ＰＣＳネットワークは現在存在していて周知のものである。この図においては、（ハイパーテキスト転送プロトコルに関連する）ＨＴＴＰネットワークと表示されている、雲２５０の形をしたＩＰネットワークは、遠隔サービス・サーバ２４０に接続している、高性能サーバ２４５へのカップリングを通して、ＰＣＳネットワーク２３０上の携帯または移動局と通信することができる。高性能サーバは、携帯装置へのデータの転送に関するＨＴＴＰネットワークからの要求を識別することができる。高性能サーバは、その後で、通信ライン２４２を通して遠隔サービス・サーバに信号を送る。
【００１６】
遠隔サービス・サーバ２４０の一部であってもよい、メッセージ・センタ２４１は、高性能サーバ２４５からデータを受信することができる。メッセージ・センタは、その後、データを移動局の状態に従って、携帯装置にデータを中継するためのフォーマットに変換する。より詳細に説明すると、移動局が遠隔サービス・サーバに登録されているが、アイドル・モードである場合には、メッセージ・センタは、ＰＣＳネットワークおよび基地局２１０を通して移動局２００にデータを転送することができ、上記データはＩＳ−１３６プロトコルに従って、正しくフォーマットされる。（例えば、ＨＤＭＬ携帯装置マークアップ・ランゲージのような）オープン・ランゲージで動作するウェブ・ブラウザにより、移動局に情報を表示することができる。移動局がアイドル・モードである場合には、この情報はデジタル制御チャンネル（ＤＣＣＨ）上で転送される。別な方法としては、携帯装置がすでに音声モードである場合には、携帯装置は音声チャンネル上で動作するが、メッセージは、正しくフォーマットすることができ、それにより、デジタル・トラヒック・チャンネル上で音声通信とインターリーブされ、データを移動装置に転送することができる。ここでもまた、この段において、ブラウザ・ランゲージが、移動局での転送されたデータの表示方法を制御する。
【００１７】
ここで、ＩＰネットワークから移動局へのデータ転送の説明を終わる。しかし、代わりに、データは、移動局から転送を行うこともできる。この転送は、携帯装置２００を作動しているユーザが発生したデータ要求を含むこともできる。このような状況において、移動局のＨＤＭＬ動作は、移動局からインターネット・プロトコルへのデータ要求を識別し、上記要求を高性能サーバに転送する。その後、サーバは、データ要請を取り上げ、ＩＰネットワークに転送する。
【００１８】
データ通信システムの性能をさらに向上できる場合、高性能サーバは周知の無線ＩＰサービスを実行することができる。すなわち、高性能サーバは、ＩＰネットワーク２５０と携帯装置、または従来技術のところですでに説明したのと類似の方法で、ＣＤＰＤネットワーク２６０を通して通信する移動局との間で、データを通信することができる。上記実施形態の場合には、高性能サーバは、移動局が現在登録しているネットワークを認識し、その後で登録しているネットワークによりＨＴＴＰネットワークから移動局へデータ情報を正しく転送しなければならない。
【００１９】
図３は、図２の通信コンフィギュレーションで使用するための高性能サーバのブロック図である。この高性能サーバ２４５は、少なくとも四つのエレメント、すなわち、代理装置３４０、二重メッセンジャ３３０、無線ＩＰハンドラ３２０、およびＲ−データ・メッセージ・ハンドラ３１０を使用している。二重メッセンジャは、携帯装置に対するメッセージのデータ・ネットワークから通知を受信する。その後、メッセンジャは、携帯装置が接続または登録しているネットワークを決定する。上記メッセンジャは、移動局の位置を識別した後で、移動局が登録されているネットワークを通してのデータの分配を管理する。これが、二重メッセンジャ３３０が、移動局にメッセージまたは通知を送る前に移動局の位置を知っておかなければならない周知のＩＰ処理ネットワークと異なる点である。
【００２０】
代理装置３４０は、ＩＰネットワークへの情報インターフェースを形成する。代理装置は、情報の転送を希望するＩＰネットワーク上でアプリケーションを入手するために二重メッセンジャから通知情報を要求することができる。アプリケーションの識別は、通常、ＩＰネットワーク上のアプリケーションにより、二重メッセンジャに送信された通知情報に含まれるＵＲＬ（万能資源ロケータ）である。その後、代理装置は、またアプリケーションからデータを受信し、それをＲ−データ・メッセージ・ハンドラ３１０または無線ＩＰハンドラ３２０のどちらかを通して移動局に転送する。
【００２１】
無線ＩＰハンドラは、図１Ａの従来技術の無線ＩＰインターフェースのように動作する。
【００２２】
Ｒ−データ・メッセージ・ハンドラは、移動局の位置を決定する機能を持ち、ＩＳ−１３６プロトコル上で使用することができるＲ−データ遠隔サービスを使用してメッセージ通知を分配する。
【００２３】
もっとよく理解してもらうために、データ転送に関する図２および図３の通信ネットワーク・エレメントの動作の一例を示す。この例の場合には、ＩＰネットワークのアプリケーション２７０は、メッセージを移動局２００に送信するように要求する。上記アプリケーションは、最初、二重メッセンジャ３３０に通知要求を送る。二重メッセンジャ３３０は、上記通知要求を移動識別番号（ＭＩＮ）のような移動局の識別子と一緒に、Ｒ−データ・メッセージ・ハンドラ３１０に送る。Ｒ−データ・メッセージ・ハンドラ３１０は、その後で、目標移動局がＩＳ−１３６  システム上に存在するかどうかを判断するために、遠隔サービス・サーバ２４０に対する問い合わせを作成する。遠隔サービス・サーバは、その後、識別した目標移動局に関連するホーム・ロケーション・レジスタ（ＨＬＲ）に問い合わせる。（ＨＬＲは、図示していない。）この例の場合には、移動局２００は、ＰＣＳネットワーク２３０登録してあると仮定する。それ故、ＨＬＲは、遠隔サービス・サーバ２４０に、その移動局２００がそのネットワーク上に登録してあることを知らせる。Ｒ−データ・メッセージ・ハンドラは、その後、ページング速度以上になっていないことを確認し、代理装置がＩＰネットワークを通してアプリケーションから通知データを入手するように要求する。代理装置３４０は、二重メッセンジャからアプリケーションの識別子（この場合は、ＵＲＬ）を入手し、アプリケーションからデータに対する要求を生成し、その要求をＩＰネットワークを通して送信する。アプリケーションは、データを代理装置３４０に返送し、代理装置は、そのデータをＲ−データ・メッセージ・ハンドラ３１０に送り、上記Ｒ−データ・メッセージ・ハンドラは、そのデータを遠隔サービス・サーバ、特に、そのサーバのメッセージ・センタに送る。遠隔サービス・サーバは、通知および情報を移動交換センタに送る。ＭＳＣは、その後、そのデータをＩＳ−１３６プロトコルで作動している基地局２１０および無線通信を通して移動局２００に送る。データは、無線チャンネルを通して転送された一つのＲ−データ・メッセージまたは複数のＲ−データ・メッセージにより転送される。高性能サーバおよび遠隔サービス・サーバの一般的動作を説明してきたが、以下にデータ転送動作をさらに詳細に説明する。
【００２４】
ＩＳ−１３６プロトコルの場合には、通常、空間を使用する遠隔サービスと呼ばれる、無線通信チャンネルを通してのデータ転送を含む、追加サービスを使用することができる。「遠隔通信サービスの空間を通してのプログラミング用の方法および装置」という名称の同時係属出願０８／７２８，２７５に上記遠隔サービスの一例が開示されている。
【００２５】
ＩＳ−１３６移動局へメッセージの通知およびメッセージ・データを送信するには、新しいＩＳ−１３６遠隔サービスを開発する必要がある。この遠隔サービスは、汎用ＵＤＰ移送遠隔サービス（またはＧＵＴＴ）である。この遠隔サービスは、ＩＰネットワークのアプリケーションから移動局の内の適当なアプリケーション、すなわち、移動局内で動作しているブラウザに、ＵＤＰデータグラム・ユーザ・データグラム・プロトコル、コメントに対する要求（ＲＦＣ）７６８、Ｊ．ポステルを転送する。汎用ＵＤＰ移送遠隔サービスは、ＩＳ−４１ネットワークを通して送信される。より詳細に説明すると、上記遠隔サービスは、そのプロトコルの「短いメッセージ・サービス配達二点間」（ＳＭＤＰＰ）メッセージの一部を通して送信される。
【００２６】
より詳細に説明すると、情報は上記メッセージの短いメッセージ・サービス・ベアラ・データ」により送られる。遠隔サービス・サーバは、Ｒ−データ・メッセージ・ハンドラからの入力データを適当なＧＵＴＴフォーマットに書き入れ、それをＩＳ−４１ＳＭＤＰＰ移送メッセージに収容する。その後、遠隔サービス・サーバは、移動局のＨＬＲ内の情報により識別されたものとして移動局にサービスをする移動交換センタ（ＭＳＣ）にこの移送メッセージを転送する。上記メッセージは、標準ＩＳ−４１Ｃの短メッセージ・サービス配達手順によりＭＳＣに転送される。ＭＳＣは、その後、ＩＳ−４１ＳＭＤＰＰからＩＳ−１３６Ｒ−データ無線インターフェースへ織り込む。移送サービスの動作については、二つの状況、すなわち、一方の状況は移動局がネットワークに登録されている状況、他方の状況はメッセージの通知が行われたときに、移動が登録されていないか、使用できない状況に関連してさらに詳細に説明する。
【００２７】
移動局が現在サービスを提供しているシステムに登録されている状況の場合には、移動局のホーム・システムは、移動にサービスを提供している移動交換センタの位置についての情報を記憶しているホーム・ロケーション・レジスタを含む。二重メッセンジャは、アプリケーションから通知要求を受信し、その要求を電子連続番号（ＥＳＮ）および／または移動識別番号（ＭＩＮ）のような移動局識別子と一緒に、Ｒ−データ・メッセージ・ハンドラ（ＲＤＭＨ）に送る。ＲＤＭＨは、移動局の識別を指定し、その移動局が使用できるかどうかを問い合わせている遠隔サービス・サーバに送る。遠隔サービス・サーバ（ＴＳ）は、応答を提供するＨＬＲに、移動局が使用できるかどうかという問い合わせを行う。この状況において、ＴＳはＰＤＭＨに移動局が使用できることを知らせる。ＰＤＭＨは、その後、配達要求を、移動局識別子および移動局へ配達するデータを含むＴＳに返送する。
【００２８】
遠隔サービス・サーバは、ＲＤＭＨから配達要求を受信するメッセージ・ハンドラ・アプリケーションを含む。ＴＳが、それが識別した移動局に対する有効なアドレス情報を含むと判断した場合には、ＴＳはそのデータをＧＵＴＴメッセージに入れ、それを短いメッセージ配達二点間（ＳＭＤＰＰ）メッセージに収容する。その後、サーバは、ＳＭＤＰＰメッセージをＨＬＲにより識別されたサービスを提供するＭＳＣに送る。サービスを提供しているＭＳＣは、ＳＭＤＰＰメッセージを受信し、その要求が現在サービスを提供している移動局用のものであることを識別する。その後、ＭＳＣは、ＳＰＡＣＨチャンネルのＲ−データのＩＳ−１３６ＳＰＡＣＨ通知を送信する。移動局はＳＰＡＣＨ通知を受信し、逆方向のチャンネルまたはＲＡＣＨを通してＳＰＡＣＨ確認により応答する。ＭＳＣは確認信号を受信すると、ＧＵＴＴメッセージをＳＰＡＣＨ上のＩＳ−１３６  Ｒ−データ・メッセージに収容する。ＭＳはＲ−データ受信し、そのデータを処理する。上記データが受け入れ可能なものである場合には、移動局は、Ｒ−データ受け入れメッセージを送信する。その後、移動局は、受信したデータを移動局のブラウザに送信する。
【００２９】
ＩＰネットワークのアプリケーションが、移動局に情報を送りたい場合に、遠隔サービス送信用にその移動局を使用できないという事態が発生する場合がある。その場合には、ＲＤＭＨが移動局の使用を要求した後で、ＨＬＲは移動局を「使用不能」と識別する。ＨＬＲは、また移動局を使用することができるようになった場合には、遠隔サービス・サーバにそれを通知するために、フラグをセットする。ある時間経過した後で、移動局サービスを提供しているＭＳＣに登録する。サービスを提供しているＭＳＣは、その後、移動局が現在登録しているＭＳＣを識別するためにＨＬＲに情報を提供する。ＨＬＲは、その後、設定されたフラグにより遠隔サービス・サーバに移動局が使用できることを知らせる。遠隔サービス・サーバは、ＰＤＭＨに移動局が使用できることを知らせる。その後、メッセージ転送動作は、使用可能と判断された移動局に対して上記のように継続して行われる。
【００３０】
図４は、データ・ネットワークの各エレメントに関連するプロトコル・レベルを示す本発明の一実施形態の他のブロック図である。移動局４００は、ディスプレイ４０１、適当なマークアップ・ランゲージで動作することができるブラウザと、相互に作用することができるキーパッド４０２とを含む。上記ブラウザは、移動局がＰＣＳネットワークを通信するＩＳ−１３６プロトコルで受信するＲ−データ・メッセージに対して、インターフェースの働きをする。移動交換センタ（ＭＳＣ）４０４は、ＩＳ−１３６プロトコルにより移動局と通信し、上記プロトコルのＲ−データ・メッセージを転送することができる。ＭＳＣ４０４は、遠隔サービス・サーバ２４０からの、ＩＳ−４１プロトコルを通して受信する、短いメッセージ・データ二点間（ＳＭＤＰＰ）メッセージから、Ｒ−データ・メッセージを生成する。遠隔サービス・サーバ２４０は、データをインターネット・プロトコル（ＩＰ）からの、ウェブ・サーバ４２０のようなサーバから、移動局が使用できる形のデータを含む、ＳＭＤＰＰメッセージに変換する。上記サーバは、インターネットに接続していて、ＨＴＭＬを使用する。
【００３１】
図２に戻って説明すると、上記説明は、ＰＣＳネットワークによる移動局間のデータ転送またはデータ通信に焦点を当ててきた。しかし、高性能サーバは、移動局がＰＣＳネットワークに登録されていないで、ＣＤＰＤネットワーク上に登録されていることを認識または判断することができる。このような場合、高性能サーバは、情報を代理装置から高性能サーバの無線ＩＰハンドラ（図３参照）に転送し、データをＣＤＰＤネットワークを通して、そのネットワーク上に登録されている移動局に転送することができる。それ故、高性能サーバは、データを移動局へ転送するために、アドレス指定されたまたは目標とする移動局が、複数のネットワーク上に登録されていて、ＩＰデータを正しくフォーマットすることができることを認識することができる。
【００３２】
図５および図６は、ＧＵＴＴ遠隔サービスでのメッセージの実行を示す。あるメッセージは移動局着信のメッセージに関連し、他のメッセージは移動局発信のメッセージに関連する。
【００３３】
最初のメッセージは、移動局宛のＵＤＰデータグラム送信用に使用される移動局着信のメッセージである。ＵＤＰデータグラムのユーザ・データは二進データで、遠隔サービスが無視することができる特定のアプリケーション・コード化を持つことができる。ＵＰＤ配達メッセージのフォーマットを下記表に示す。
【００３４】
【表１】
0004071862.tif 000002
【００３５】
図５は、Ｒ−データおよびＳＭＤＰＰからのＵＤＰ配達メッセージのマッピングである。ＩＳ−４１プロトコルにおいては、データはＳＭＳベアラ・データ、ＳＭＳＴＩＤフィールドに置かれる。移動交換局におけるＩＳ−１３６プロトコルのＲ−データ・メッセージにおいては、この情報は、Ｒ−データ装置内に置かれる。図５は、データ部分ＨＬ  ＰＤＵを含めるためにどうようにＲ−データ装置を分割するか、またＵＤＰ配達情報が挿入されるこの部分にどのように挿入されるかを示す。ＵＤＰ配達情報は、記述タイプ、ＵＤＰヘッダおよびＩＰネットワークが発信したＩＰデータを含むデータを含む。
【００３６】
第二のＧＵＴＴメッセージは、ネットワークにＵＤＰデータグラムを配達するために使用される、移動局発信メッセージであるＵＤＰ提出メッセージである。ＵＤＰデータグラムのユーザ・データは、遠隔サービスが無視することができる、特定のアプリケーションおよびコード化を持つことができる。ＵＤＰ提出メッセージのフォーマットを、下記表に示す。
【００３７】
【表２】
0004071862.tif 000003
【００３８】
図６は、Ｒ−データおよびＳＭＤＰＰからのＵＤＰ提出メッセージのマッピングを示す。このマッピングは、データグラムが移動局により生成され、ＩＳ−１３６プロトコルに従って、Ｒ−データ装置に置かれる図５のデータの流れの逆の流れの一部を示す。このＲ−データ装置は、空中を移動局から移動交換センタへ送信されるＲ−データに含まれる。ＭＳＣは、適当なＩＳ−４１ＳＭＤＰＰメッセージ・フォーマットに変換されるＲ−データから情報を抽出する。
【００３９】
本発明の場合には、移動局はインターネット・プロトコル・ハンドラを必要とせず、ＩＰネットワークと通信することができる。移動局は、ＣＤＰＤのような専用データ・ネットワーク上で中継しなくても、通信用の専用データ・チャンネルで中継しなくても、通信することができる。その代わりに、本発明の場合には、遠隔サービスを通して、移動局にデータを送信することができる。上記遠隔サービスは、移動局が音声モードである場合には、データを音声情報にインターリーブすることができ、または移動局ＩＳ−１３６プロトコルの移動局の動作に従って、アイドル・モードである場合には、単に制御チャンネルを通してデータを転送することができる。その結果、移動局はＩＰネットワークとの通信をより柔軟に行うことができる。ＩＰネットワークは、図１Ａおよび図１Ｂに示す従来技術のコンフィギュレーションのいずれかで使用できる状況よりも、もっと自由に移動局に情報を転送することができる。
【００４０】
上記実施形態の場合には、インターネット・プロトコル・ネットワークからＩＳ−１３６プロトコルへの、データの変換に重点が置かれていたが、本発明は、第一のネットワークのデータ・フォーマットが、移動局が接続しているネットワークのデータ・フォーマットとは異なる場合に、データ・ネットワークと移動局との間の他のデータ交換にも同様に適用することができることを認識されたい。より詳細に説明すると、本発明を、広域ネットワークまたはインターネットに対向するイントラネット上で、データに移動局がアクセスすることができるようにすることもできる。さらに、本発明は、ＩＳ−１３６プロトコルに特に限定されるものではなく移動局にメッセージを送ることができる任意のプロトコルで使用することができる。特に、上記メッセージの送信を音声モード動作とインターリーブすることができる場合、または移動局がアイドル・モードである場合に、メッセージをある種の制御チャンネルを通して送信することができるような場合に適用することができる。
【図面の簡単な説明】
【図１Ａ】従来技術のデータ通信コンフィギュレーションのブロック図である。
【図１Ｂ】従来技術のデータ通信コンフィギュレーションのブロック図である。
【図２】本発明の実施形態のデータ通信コンフィギュレーションのブロック図である。
【図３】図２の実施形態の性能が向上したサーバのブロック図である。
【図４】本発明の一実施形態の他の略図である。
【図５】本発明の実施形態のデータ・ネットワークから移動局へのデータ転送の際のデータの流れ図である。
【図６】本発明の実施形態の移動局からＩＰネットワークへのデータ転送のデータ流れ図である。
【図１Ａ】
0004071862.tif 000004
【図１Ｂ】
0004071862.tif 000005
【図２】
0004071862.tif 000006
【図３】
0004071862.tif 000007
【図４】
0004071862.tif 000008
【図５】
0004071862.tif 000009
【図６】
0004071862.tif 000010